(57)【要約】【課題】  ポジション検知切換計算に基づく温度測定方法を提供する。【解決手段】  ポジション検知切換計算に基づく温度測定方法は温度計を有し、温度計位置変化状況の検知に用いるポジション検知ユニットをさらに設置し、ポジション検知ユニットフィードバック温度計が静止状態にある時、スポット測定体温計算方式Ａを利用して計算し体温値を得て、ポジション検知ユニットフィードバック温度計が移動状態にある時、走査測定体温計算方式Ｂを利用して計算し体温値を得て、こうしてさらに正確な体温値が得られ、同時に温度測定操作はさらに簡単で便利となり、温度測定操作に対する要求を低下させ、高い実用性を備える。【選択図】  なし【特許請求の範囲】
【請求項１】
ポジション検知切換計算に基づく温度測定方法であって、温度計を有し、温度計位置変化状況の検知に用いるポジション検知ユニットをさらに設置し、
ポジション検知ユニットフィードバック温度計が静止状態にある時、スポット測定体温計算方式を利用して計算し体温値を得て、
ポジション検知ユニットフィードバック温度計が、移動状態にある時、走査測定体温計算方式を利用して計算し体温値を得る
ことを特徴とする、
ポジション検知切換計算に基づく温度測定方法。
【請求項２】
前記ポジション検知ユニットは、温度計内に設置する
ことを特徴とする、
請求項１に記載のポジション検知切換計算に基づく温度測定方法。
【請求項３】
前記温度計内には、演算ユニットを有し、
前記スポット測定体温計算方式、走査測定体温計算方式は、演算ユニット内の演算公式にそれぞれ保存される
ことを特徴とする、
請求項１に記載のポジション検知切換計算に基づく温度測定方法。
【請求項４】
前記温度計は、赤外線温度測定ユニットを有し、温度測定時、前記赤外線温度測定ユニットは、赤外線信号値を得て、
ポジション検知ユニットフィードバック温度計が静止状態にあるなら、赤外線信号値を利用し、スポット測定体温計算方式を結合して計算し体温値を得て、
ポジション検知ユニットフィードバック温度計が移動状態にあるなら、赤外線信号値を利用し、走査測定体温計算方式を結合して計算し体温値を得る
ことを特徴とする、
請求項１に記載のポジション検知切換計算に基づく温度測定方法。
【請求項５】
前記ポジション検知ユニットは、リニアセンサー、／或いは角速度センサーを含む
ことを特徴とする、
請求項１に記載のポジション検知切換計算に基づく温度測定方法。
【請求項６】
前記ポジション検知ユニットは、加速度センサー、／或いはジャイロスコープを含む
ことを特徴とする、
請求項１に記載のポジション検知切換計算に基づく温度測定方法。
【請求項７】
前記ポジション検知ユニットフィードバック温度計が、移動状態にある時、同時にポジション検知ユニットが検知した運動の軌跡距離、／或いは角度に対して判断し、
検知された運動の軌跡距離、／或いは角度が設定範囲に符合するなら、走査テストは、条件に符合すると考え、走査測定体温計算方式を利用して計算し体温値を求め、そうでなければ走査無効と考える
ことを特徴とする、
請求項１に記載のポジション検知切換計算に基づく温度測定方法。
【請求項８】
前記ポジション検知ユニットが検知した運動の軌跡距離、／或いは角度が設定値より大きい時、走査テストは、条件に符合すると考え、走査測定体温計算方式を利用して計算し体温値を求め、そうでなければ走査無効と考える
ことを特徴とする、
請求項７に記載のポジション検知切換計算に基づく温度測定方法。
【請求項９】
前記走査が無効と考えられる時には、警報信号を利用して提示する
ことを特徴とする、
請求項７に記載のポジション検知切換計算に基づく温度測定方法。
【発明の詳細な説明】
【技術分野】
【０００１】
本発明は体温測定領域の技術に関し、ポジション検知切換計算に基づく温度測定方法に関する。
【背景技術】
【０００２】
温度計は、被測定物体が発射する赤外線が備える輻射能を電気信号に転換する。
赤外線輻射能の大きさと物体そのもの温度は関連があり、転換された電気信号の大きさに基づき、物体の温度を確定することができる。
【０００３】
体温測定時には、赤外線温度計を手に持ち出来るだけ静止を保持する。
測定時に揺れると、測定結果に影響を及ぼす。
このように、測定操作者に対して一定の要求が行われるため、赤外線温度計の使用範囲を限定してしまっている。
【発明の概要】
【発明が解決しようとする課題】
【０００４】
前記先行技術には、使用範囲を限定してしまっている欠点がある。
【課題を解決するための手段】
【０００５】
本発明はさらに正確な体温値が得られ、同時に温度測定操作はさらに簡単で便利となり、温度測定操作に対する要求を低下させ、高い実用性を備え、従来の技術に存在する欠点を改善できるポジション検知切換計算に基づく温度測定方法に関する。
【０００６】
本発明によるポジション検知切換計算に基づく温度測定方法は、温度計を有し、温度計位置変化状況の検知に用いるポジション検知ユニットをさらに設置する。
ポジション検知ユニットフィードバック温度計が静止状態にある時、スポット測定体温計算方式を利用して計算し体温値を得る。
ポジション検知ユニットフィードバック温度計が、移動状態にある時、走査測定体温計算方式を利用して計算し体温値を得る。
好ましくは、該ポジション検知ユニットは、温度計内に設置する。
好ましくは、該温度計内には、演算ユニットを有し、該スポット測定体温計算方式、走査測定体温計算方式は、演算ユニット内の演算公式にそれぞれ保存される。
好ましくは、該温度計は、赤外線温度測定ユニットを有し、温度測定時、該赤外線温度測定ユニットは、赤外線信号値を得る。
ポジション検知ユニットフィードバック温度計が静止状態にあるなら、赤外線信号値を利用し、スポット測定体温計算方式を結合して計算し体温値を得る。
ポジション検知ユニットフィードバック温度計が移動状態にあるなら、赤外線信号値を利用し、走査測定体温計算方式を結合して計算し体温値を得る。
好ましくは、該ポジション検知ユニットは、リニアセンサー、／或いは角速度センサーを含む。
好ましくは、該ポジション検知ユニットは、加速度センサー、／或いはジャイロスコープを含む。
好ましくは、ポジション検知ユニットフィードバック温度計が、移動状態にある時、同時にポジション検知ユニットが検知した運動の軌跡距離、／或いは角度に対して判断する。
検知された運動の軌跡距離、／或いは角度が設定範囲に符合するなら、走査テストは、条件に符合すると考え、走査測定体温計算方式を利用して計算し体温値を求め、そうでなければ走査無効と考える。
好ましくは、ポジション検知ユニットが検知した運動の軌跡距離、／或いは角度が設定値より大きい時、走査テストは、条件に符合すると考え、走査測定体温計算方式を利用して計算し体温値を求め、そうでなければ走査無効と考える。
好ましくは、走査が無効と考えられる時には、警報信号を利用して提示する。
【０００７】
本発明を従来の技術と比較すると、以下の通り明確な長所と有益な効果を備える。
上述の技術方案から分かるように、ポジション検知ユニットにより、温度計の位置変化状況を検知し、ポジション検知ユニットフィードバック温度計が静止状態にある時、スポット測定体温計算方式を利用して計算し体温値を得る。
ポジション検知ユニットフィードバック温度計が、移動状態にある時、走査測定体温計算方式を利用して計算し体温値を得る。
こうして、さらに正確な体温値が得られ、同時に温度測定操作はさらに簡単で便利となり、温度測定操作に対する要求を低下させ、高い実用性を備える。
【発明を実施するための形態】
【０００８】
（一実施形態）
ポジション検知切換計算に基づく温度測定方法は、温度計を有し、温度計位置変化状況の検知に用いるポジション検知ユニットをさらに設置する。
ポジション検知ユニットフィードバック温度計が静止状態にある時、スポット測定体温計算方式Ａを利用して計算し体温値を得る。
ポジション検知ユニットフィードバック温度計が、移動状態にある時、走査測定体温計算方式Ｂを利用して計算し体温値を得る。
【０００９】
通常、ポジション検知ユニットは、温度計内に設置する。
温度計内には、演算ユニットを有する。
スポット測定体温計算方式Ａ、走査測定体温計算方式Ｂは、演算ユニット内の演算公式にそれぞれ保存される。
温度計は、赤外線温度測定ユニットを有し、温度測定時、赤外線温度測定ユニットは、赤外線信号値Ｃを得る。
ポジション検知ユニットフィードバック温度計が静止状態にあるなら、赤外線信号値Ｃを利用し、スポット測定体温計算方式Ａを結合して計算し体温値Ｄ１を得る。
ポジション検知ユニットフィードバック温度計が移動状態にあるなら、赤外線信号値Ｃを利用し、走査測定体温計算方式Ｂを結合して計算し体温値Ｄ２を得る。
【００１０】
ポジション検知ユニットは、ポジションを検知可能なあらゆる装置を指し、リニアセンサー、／或いは角速度センサーを含む（但し限定しない）。
リニアセンサーは、加速度センサーを指し、角速度センサーは、ジャイロスコープを指し、同様に加速度センサー、ジャイロスコープに限定しない。
【００１１】
ポジション検知ユニットフィードバック温度計が、移動状態にある時、同時にポジション検知ユニットが検知した運動の軌跡距離、／或いは角度に対して判断する。
検知された運動の軌跡距離、／或いは角度が設定範囲に符合するなら、走査テストは、条件に符合すると考え、走査測定体温計算方式Ｂを利用して計算し体温値を求め、そうでなければ走査無効と考える。
本実施形態において、“設定範囲”は設定値を参照することができる。
例えば、ポジション検知ユニットが検知した運動の軌跡距離、／或いは角度が設定値より大きい時、走査テストは、条件に符合すると考え、走査測定体温計算方式Ｂを利用して計算し体温値を求め、そうでなければ走査無効と考え、警報信号を利用して提示する。
【００１２】
本発明の設計のポイントは以下の通りである。
ポジション検知ユニットにより、温度計の位置変化状況を検知し、ポジション検知ユニットフィードバック温度計が静止状態にある時、スポット測定体温計算方式Ａを利用して計算し体温値を得る。
ポジション検知ユニットフィードバック温度計が、移動状態にある時、走査測定体温計算方式Ｂを利用して計算し体温値を得る。
こうして、さらに正確な体温値が得られ、同時に温度測定操作はさらに簡単で便利となり、温度測定操作に対する要求を低下させ、高い実用性を備える。
【００１３】
前述した本発明の実施形態は本発明を限定するものではなく、よって、本発明により保護される範囲は後述される特許請求の範囲を基準とする。